(57)【要約】      （修正有）【課題】様々な種類のブロックを用いてユーザーに合わせて調整可能なゴルフクラブを提供する。【解決手段】ゴルフクラブは、上面に内方へ陥入した陥入溝１４が設けられ且つ下面には下方に突出した嵌込突部１２が設けられているブロック１３が結合され、互いに異なるブロック同士も、陥入溝と嵌込突部により互いに結合可能であり、２つ以上のブロックを結合する際に、２つのブロックの陥入溝と嵌込突部とを嵌め合わせた後、陥入溝からネジを差し込んで２つのブロックを結合する。【選択図】図７
0003219413.tif 000002
【実用新案登録請求の範囲】
【請求項１】
様々な種類のブロックを用いてユーザーに合わせて調整可能なゴルフクラブであって、
ゴルフクラブには、上面には内方へ陥入した陥入溝（１４）が設けられ且つ下面には下方に突出した嵌込突部（１２）が設けられるブロック（１３）が結合され、
互いに異なるブロック（１３）同士にも、陥入溝（１４）と嵌込突部（１２）とは互いに結合可能であり、２つ以上のブロック（１３）を結合する際に、２つのブロック（１３）の陥入溝（１４）と嵌込突部（１２）とを嵌め合わせた後、陥入溝からネジを差し込んで２つのブロック（１３）を結合する、様々な種類のブロックを用いてユーザーに合わせて調整可能なゴルフクラブ。
【請求項２】
前記ネジは、ネジ山が形成されているネジ山領域（２３）と、ネジ山が形成されていない平滑化領域（２４）とを有し、ブロック（１３）の内部における、陥入溝（１４）と嵌込突部（１２）に近い部分にはネジ山が形成されず、ネジの挿入される一部区間にのみ内部ネジ山（２２）が形成されてネジのネジ山領域２３と内部ネジ山（２２）とが結合する、請求項１に記載の様々な種類のブロックを用いてユーザーに合わせて調整可能なゴルフクラブ。
【請求項３】
前記ネジは、ネジ山領域（２３）を２個所以上持っているものであることを特徴とする、請求項２に記載の様々な種類のブロックを用いてユーザーに合わせて調整可能なゴルフクラブ。
【請求項４】
前記ネジは、先端にのみネジ山領域（２３）が形成され、結合されるブロック（１３）のうち最下方にあるブロック（１３）の内部一部分にのみ内部ネジ山が形成される、請求項２に記載の様々な種類のブロックを用いてユーザーに合わせて調整可能なゴルフクラブ。
【考案の詳細な説明】
【技術分野】
【０００１】
本考案は、様々な種類のブロックを用いてユーザーに合わせて調整可能なパターを含むゴルフクラブに関する。
【背景技術】
【０００２】
本考案は、様々な種類のブロックを用いてユーザーに合わせて調整可能なパターを含むゴルフクラブを提供する。ゴルフクラブは、通常、一般既製品を使用するが、ユーザーのスイング特性や癖、体格、体型などによってスイングが少しずつ異なるので、キャリアが長い場合には、自分のスイングの特性に応じてゴルフクラブを少しずつフィッティングすることもある。また、パターの場合は、ライ角の調節（韓国実用新案出願第２０−２００６−００１６３１１号）もしくは重量の調節（韓国実用新案出願第２０−２００６−００１５０７７号）が可能なパターを使用することもある。
【０００３】
ところが、この種のパターは、調節される範囲が非常に限定的であるか或いは調節方法が難しいため、それほど多くは使用されない場合が多い。つまり、韓国実用新案出願第２０−２００６−００１５０７７号の場合、幾つかのオモリをのせておくだけでは実際の使用においてあまり差がない場合が多く、オモリが離脱したりする欠点もあり、ライ角を調節するための分解組立過程が非常に難しい。
【考案の概要】
【考案が解決しようとする課題】
【０００４】
本考案は、上述したような欠点を克服するために案出されたもので、その目的は、ゴルフクラブをユーザーが様々な形態に調整することができるようにするゴルフクラブを提供することにある。
【課題を解決するための手段】
【０００５】
上記目的を達成するために、本考案は、様々な種類のブロックを用いてユーザーに合わせて調整可能なゴルフクラブであって、ゴルフクラブには、上面には内方へ陥入した陥入溝１４が設けられ且つ下面には下方に突出した嵌込突部１２が設けられるブロック１３が結合されるが、互いに異なるブロック１３同士にも、陥入溝１４と嵌込突部１２とは互いに結合可能であり、２つ以上のブロック１３を結合する際に、２つのブロック１３の陥入溝１４と嵌込突部１２とを嵌め合わせた後、陥入溝からネジを差し込んで２つのブロック１３を結合することができる、
前記ネジは、ネジ山が形成されているネジ山領域２３と、ネジ山が形成されていない平滑化領域２４とを有し、ブロック１３の内部における陥入溝１４と嵌込突部１２に近い部分にはネジ山が形成されず、ネジの挿入される一部区間にのみ内部ネジ山２２が形成されてネジのネジ山領域２３と内部ネジ山２２とが結合することができる。
前記ネジは、ネジ山領域２３を２個所以上持っているものであり得る。
前記ネジは、先端にのみネジ山領域２３が形成され、結合するブロック１３のうち最下方にあるブロック１３の内部一部分にのみ内部ネジ山が形成され得る。
【考案の効果】
【０００６】
上述したような本考案によって、ユーザーが任意に調整することが可能なゴルフクラブを提供する効果を有する。
【図面の簡単な説明】
【０００７】
【図１】本考案に係る一実施形態を示す図である。
【図２】本考案に係る一実施形態を示す図である。
【図３】本考案に係る一実施形態を示す図である。
【図４】本考案に係る一実施形態を示す図である。
【図５】本考案に係る一実施形態を示す図である。
【図６】本考案に係る一実施形態を示す図である。
【図７】本考案に係る一実施形態を示す図である。
【図８】本考案に係る一実施形態を示す図である。
【考案を実施するための形態】
【０００８】
本考案は、様々な種類のブロックを用いてユーザーに合わせて調整可能なゴルフクラブであって、ゴルフクラブには、上面には内方へ陥入した陥入溝１４が設けられ且つ下面には下方に突出した嵌込突部１２が設けられるブロック１３が結合されるが、互いに異なるブロック１３同士にも、陥入溝１４と嵌込突部１２とは互いに結合可能であり、２つ以上のブロック１３を結合する際に、２つのブロック１３の陥入溝１４と嵌込突部１２とを嵌め合わせた後、陥入溝からネジを差し込んで２つのブロック１３を結合する。
【０００９】
以下、添付図面を参照して本考案を詳細に説明する。本考案に係るブロック型ゴルフクラブは、パターやドライバー、アイアンなどに全て適用できるが、説明の便宜のために、実施形態をパターに限定して説明する。図１乃至図４は本考案に係る一実施形態を示す図である。本考案に係るパターは、子供たちがもてあそぶ、嵌め合わせて組み合わせるブロックと同様の形態を持っており、１次的にはブロックを嵌め合わせる方式でパターを構成することができる。
【００１０】
つまり、ブロックの上面や側面などには凸状の凸部材１１が突設されており、ブロックの底面には凸部材１１の嵌め込まれる嵌込突部１２が設けられており、複数のブロックを嵌め合わせて自分だけのパターを作ることができる。特にブロック１３の色を多様にすることにより、複数のブロックを嵌め合わせたとき、様々な色のブロックの配置及び組み合わせによって自分だけの個性を表現することが可能である。
【００１１】
図１乃至図４に示されている凸部材１１は、ブロック１３に凸状に突設されたもの、或いはブロック１３にネジを嵌め込むことでネジ頭２１が突出して設けられたものである。ネジ頭２１による凸部材１１の形成は図７で説明する。
【００１２】
図１乃至図４に示されているように、凸部材１１は、１つのブロック１３にも複数個が設けられてもよいが、必要に応じて、ネジ頭２１による凸部材１１の個数を調節することができる。
【００１３】
このようなブロック１３は、複数個を重ねて嵌め合わせたり組み合わせたりして、様々な形状及び重心を有するブロック組立体を作ることができるが、ブロック１３の下端には嵌込突部１２、ブロック１３の上端には陥入溝１４が設けられている。よって、ブロック１３とブロック１３との結合は、嵌込突部１２を陥入溝１４に嵌め合わせた後、ネジを差し込むことにより行われる。
【００１４】
それぞれのブロックごとに重量が異なり、重心が異なるため、それぞれのブロックをゴルフクラブまたはパターに装着した場合、ユーザーごとに感じるスイング感が異なり得る。従来の技術は、単に幾つかのオモリをのせて置くだけで済んだため、スイングの際に感じられる重みは変わる可能性があっても、重心を変化させることは不可能であったが、これに対し、本考案は、重心もユーザーの利便性に応じて変えることが可能である。特に重心を変化させることは、重量を増すほどのことではなく、クラブ自体を完全に変えるのと同様なので、ユーザーが感じるスイング感が大きく異なり、一つのクラブでも状況に応じて異なる形態で使用することができる。
【００１５】
ところが、ブロック形態の部材を装着するとき、嵌込突部１２と陥入溝１４のみで結合が行われるようにすると、スイングに応じては衝撃によりブロックが抜けてしまうことがあるので、本考案では、ブロックの凸部材１１に該当する部分をネジを用いて構成した。従来は、磁石を利用してオモリを付けるので、衝撃の際に磁石が取り外されてしまうことが多く、スイングの大きいドライバーやアイアンには適用することが困難な場合が多かったが、本考案では、ネジによる結合が行われるようにするため、アイアンやドライバーにも適用が可能である。
【００１６】
つまり、凸部材１１が嵌込突部１２に嵌め込まれることによってのみ結合が行われると、ゴルフボールとの衝撃によっても結合が容易に分解できるので、ネジによる結合を行う。
【００１７】
ところが、ネジ結合を行うと、図５に示すように、２つ以上のブロック１３の間を貫通してネジを用いて結合するとき、ブロックの内側に形成されるネジ山が上方のブロックと下方のブロックで連続しなければ、ネジをねじ込む過程でブロック内側のネジ山が壊れたりネジが壊れたりする。２つのブロックのネジ山が連続するように調節することは、非常に高い精度を必要とし、ブロックの価格を必要以上に高めることになる。
【００１８】
本考案では、このような問題点を克服するために提供するネジは、ネジ山のあるネジ山領域２３と、ネジ山の形成されていない平滑化領域２４とを有するネジを提供する。
【００１９】
また、ブロック１３の内部にもネジが結合するように設けられた穴の内部全体に内部ネジ山２２を形成せず、両端を除いた一部の領域または最下方に結合するブロックにのみ内部ネジ山２２を形成することができる。
【００２０】
したがって、２つのブロックが向き合う領域には内部ネジ山２２が形成されず、ネジのネジ山が通過するため、ネジ山が連続しなければならない問題が解決される。
或いは、ネジにネジ領域２３が２つ以上形成されるようにすることができる。つまり、２つのブロックを連結するときに使用するネジと、３つのブロックを連結するときに使用するネジを別々に提供することができるが、それぞれのネジにはネジ山が形成され、この際、ネジの胴体全体にわたってネジ山が形成されるのではなく、間々にネジ山の形成されない平滑化領域２４が形成され、結合されるブロックの個数だけネジ山が形成されるネジ山領域２３が形成されるので、ネジを差し込んだときにネジのネジ山領域２３とブロック内部の内部ネジ山２２とが噛み合って結合するようにする。
【００２１】
結合するブロックが２つであれば、ネジの胴体においてネジ山は２つの部分に分けられて形成され、結合するブロックが３つであれば、ネジの胴体においてネジ山は３つの部分に分けられて形成され得る。
図７に示すように、ネジを差し込んだとき、ブロックの凸部材１１と嵌込突部１２との間には向き合う部分が生じるが、向き合う部分の間でネジ山が連続するのが難しいので、ネジがしっかりと挿し込まれるのが難しい。ところが、本考案では、ブロックが向き合っている部分で、ネジの胴体にはネジ山がないため、そのまま貫通するようにし、ブロックの内部においても、互いに向き合って接触する部分ではネジ山を形成しないようにしてネジがそのまま貫通するようにした。したがって、ブロック内部のネジ山は、ブロックの内部から中心に向かってネジ山が飛び出て形成され、ネジの胴部では胴体の周りにネジ山が飛び出て形成される。すなわち、ネジの胴部においてネジ山が形成されていない部分はそのまま貫通することが可能になる。
【００２２】
図６は別の実施形態を示すが、結合するブロックの数に応じて異なる長さのネジを提供し、ネジの先端にのみネジ山領域２３が形成されるようにして、ネジを差し込んだときに、ネジ頭２１が凸部材１１の役目をし、ネジによって複数のブロックが結合されるようにする。ブロック１３には複数の陥入溝１４と嵌込突部１２が設けられているので、複数のネジによって堅固な結合が行われるようにすることができる。
【００２３】
また、嵌込突部１２がネジ頭２１を収容することができるほどのものを使用すると、複数のブロック組立体同士を再び組み立てることが可能になる。
図８はネジ山の損傷なしに複数のブロック１３とネジとが結合する形状を示す。
図面において、ネジ山領域２２が１つ形成されたものだけを示したが、必要に応じて、或いはブロックの数が多くなるほど、複数のネジ山領域２２が形成されたものを使用することができる。
【００２４】
図４はパターをなす背面の結合を示すものであり、パターの背面はゴルフボールとの衝撃のための衝撃板が結合するようにするが、衝撃板はブロックの側面にネジを用いて結合するようにすることができる。
【産業上の利用可能性】
【００２５】
様々な形態で演出が可能なゴルフクラブを提供する効果を有する。
【符号の説明】
【００２６】
１１    凸部材
１２    嵌込突部
１３    ブロック
１４    陥入溝
２１    ネジ頭
２２    内部ネジ山
２３    ネジ山領域
２４    平滑化領域
【図１】
0003219413.tif 000003
【図２】
0003219413.tif 000004
【図３】
0003219413.tif 000005
【図４】
0003219413.tif 000006
【図５】
0003219413.tif 000007
【図６】
0003219413.tif 000008
【図７】
0003219413.tif 000009
【図８】
0003219413.tif 000010